(57)【特許請求の範囲】
【請求項１】
本体に作動部材を伸縮かつ軸方向へ移動可能に収容し、前記作動部材の一端部を負荷部材に連係し、該負荷部材を変位可能に設けるとともに、前記本体の内部に可動体を軸方向へ移動可能に収容し、該可動体の内部に前記作動部材を軸方向へ移動可能に収容し、前記可動体にテ−パ部を備えたストッパを設け、該テ−パ部を本体内部に係合可能に配置し、作動部材の移動時に前記テ−パ部を本体の内部に係合可能に設け、前記負荷部材の変位時、前記ストッパの内周面を作動部材の周面に押圧可能に設け、作動部材の移動を制動または緩衝可能にした緩衝装置において、前記ストッパの移動方向の両側にテ−パ角度を異にする二つのテ−パ部を設け、前記負荷部材の負荷に応じて前記一方のテ−パ部を選択して配置し、選択したテ−パ部を本体内の係合部に係合可能に配置したことを特徴とする緩衝装置。
【請求項２】
前記可動体に選択したテ−パ部をストッパの移動方向側に配置した請求項１記載の緩衝装置。
【請求項３】
前記可動体の外周に複数のストッパを装着し、各ストッパの一のテ−パ部を本体内部に係合可能に配置するとともに、各ストッパの内周面を作動部材の周面に押圧可能に配置した請求項１記載の緩衝装置。
【請求項４】
前記二つのテ−パ部の何れか一方に識別手段を設けた請求項１記載の緩衝装置。
【請求項５】
前記本体の内側に平面矩形の係合部を突出して形成し、該係合部の内側に作動部材を軸方向へ移動可能に配置し、該係合部の三辺にビードを軸方向に突設し、該ビードを作動部材の周面に係合可能に配置した請求項１記載の緩衝装置。
【請求項６】
前記可動体の直上に作動部材を挿入可能な保護キャップを配置し、該保護キャップの縮径周面を本体の上端部に嵌合するとともに、前記保護キャップの縮径周面に係止爪を突設し、該係止爪を本体の周面に形成した係合孔に内側から係合可能に取付けた請求項１記載の緩衝装置。
【請求項７】
前記本体に一対のフォ−ク片を備えた掛止具を着脱可能に設け、前記一対のフォ−ク片を前記本体に抜き差し可能に設け、前記掛止具を本体に装着時、前記フォ−ク片上に前記可動体を係合可能に配置し、前記ストッパの選択したテ−パ部と本体内部の係合部との係合を解除可能にした請求項６記載の緩衝装置。
【請求項８】
前記掛止具を本体に装着時、ストッパ内周面の作動部材周面に対する押圧を解除可能にした請求項７記載の緩衝装置。
【請求項９】
前記掛止具を本体から取り外し時、前記可動体を本体内の係合部側へ移動して、ストッパの選択したテ−パ部を前記本体内部の係合部に係合可能に設け、ストッパの内周面を作動部材の周面に押圧可能に設けた請求項７記載の緩衝装置。
【請求項１０】
前記本体および可動体の内側に作動部材を挿入後、前記掛止具を本体から取り外し可能にした請求項７記載の緩衝装置。
【請求項１１】
前記掛止具に把持部を設け、該把持部を本体の外側に突出して配置した請求項７記載の緩衝装置。
【請求項１２】
作動部材を伸縮かつ軸方向へ移動可能に装着した緩衝装置を支柱に設け、前記作動部材の上端部を天板の中間部に回動可能に連係し、天板の側端部に支持枠の上端部を回動可能に連係し、該支持枠の下端部を枠体に回動可能に連結し、前記緩衝装置を区画する本体の内部に可動体を軸方向に移動可能に収容し、該可動体の内部に前記作動部材を軸方向へ移動可能に収容し、前記可動体にテ−パ部を備えたストッパを設け、該テ−パ部を本体の内部に係合可能に配置し、該ストッパの内周面を作動部材の周面に押圧可能に設け、天板を折り畳み可能にした折り畳みテ−ブルにおいて、前記ストッパの移動方向の両側にテ−パ角度を異にする二つのテ−パ部を設け、天板の負荷に応じて前記一方のテ−パ部を選択して配置し、該選択したテ−パ部を本体内の係合部に係合可能に配置したことを特徴とする折り畳みテ−ブル。
【請求項１３】
前記本体に一対のフォ−ク片を備えた掛止具を着脱可能に設け、前記掛止具を本体に装着時、前記フォ−ク片上に前記可動体を係合可能に配置し、作動部材の周面に対しストッパ内周面の押圧を解除可能にし、前記掛止具を本体から取り外し時、前記可動体を本体内の係合部側へ移動し、ストッパの選択したテ−パ部を前記本体内部の係合部に係合可能に設け、ストッパの内周面を作動部材の周面に押圧可能に設けた請求項１２記載の折り畳みテ−ブル。
【請求項１４】
前記掛止具を本体から取り外し天板の折り畳み回動変位時、前記作動部材を上方へ伸長変位可能に設け、ストッパの一方のテ−パ部と本体内部の係合部との係合を解除し、作動部材の周面に対しストッパ内周面の押圧を解除可能にした請求項１３記載の折り畳みテ−ブル。
【請求項１５】
前記掛止具を本体から取り外し天板の展開回動変位時、前記作動部材を下方へ縮小変位可能に設け、ストッパの選択したテ−パ部を本体内部の係合部に係合し、ストッパの内周面を作動部材の周面に押圧可能にした請求項１３記載の折り畳みテ−ブル。
【請求項１６】
前記天板の折り畳み時、前記作動部材を支柱と同軸上の上方に突出し、該作動部材の上動に天板を同動させて前記作動部材と天板とを互いに平行に配置した請求項１２記載の折り畳みテ−ブル。
【発明の詳細な説明】
【技術分野】
【０００１】
本発明は、構成が簡単で容易かつ安価に製作できるとともに、その小形軽量化と廃棄処分の容易化を図れる緩衝装置と、この緩衝装置を天板の折り畳み操作と展開操作に利用し、その円滑な操作と安全性を図れるとともに、構成が簡単で容易かつ安価に製作でき、その小形軽量化とデザインの向上を図れる折り畳みテ−ブルに関する。
【背景技術】
【０００２】
従来、天板の回動を緩衝する緩衝装置を備えた折り畳みテ−ブルとして、例えば油室に作動油を充填した円筒形のダンパ−本体からなり、該本体を天板の直下に配置し、その端面を天板と一体の取付金具に取付け、内部の翼と一体の軸を支柱の上部に固定し、天板の折り畳み時に作動油を円滑に移動させて、天板を速やかに回動する一方、天板の展開時に作動油の移動を抑制し、天板の回動を緩衝するようにしたものがある（例えば、特許文献１参照）。
【０００３】
また、他の折り畳みテ−ブルとして、シリンダ-の内部にピストンを摺動可能に収容した緩衝用シリンダ−機構、いわゆるガススプリングを備え、該シリンダ−機構を折り畳みテ−ブルの脚柱の内部に取付け、そのピストンロッドの上端部をロック板に枢着し、該ロック板をハンドルと同軸の連動軸に固定している。
そして、天板の折り畳み時にハンドルを回動してロック板のロックを解除し、シリンダ−機構のピストンを内蔵したバネの弾性で押し上げ、シリンダ−内の作動油をゆっくり移動して、天板をゆっくり折り畳み回動し、一方、天板の展開時にハンドルを逆方向に回動してロック板を同動させ、ピストンロッドとピストンを下降し、シリンダ−内の作動油を速やかに移動して、天板を容易かつ速やかに水平に移動するようにしたものがある（例えば、特許文献２参照）。
【０００４】
しかし、前記ダンパ−本体や緩衝用シリンダ−機構は、構造が複雑で高価なうえに、概して大形で大重量化し、しかもその廃棄処分時には、例えば封入した高圧ガスを排出する面倒があり、これを失念した場合は爆発して怪我をする等の問題があった。
一方、前記ダンパ−本体や緩衝用シリンダ−機構を備えた折り畳みテ−ブルは、緩衝用シリンダ−機構等が高価で大形重量化するため、操作や取り扱いに不便なうえに、高価で大形重量化し、しかもデザインの幅が制約されるという問題があった。
【先行技術文献】
【特許文献】
【０００５】
【特許文献１】特開平１０−２１１０２５号公報
【特許文献２】実開平６−５８７２４号公報
【発明の概要】
【発明が解決しようとする課題】
【０００６】
本発明はこのような問題を解決し、構成が簡単で容易かつ安価に製作できるとともに、その小形軽量化と廃棄処分の容易化を図れる緩衝装置と、この緩衝装置を天板の折り畳み操作と展開操作に利用し、その円滑な操作と安全性を図れるとともに、構成が簡単で容易かつ安価に製作でき、その小形軽量化とデザインの向上を図れる折り畳みテ−ブルを提供することを目的とする。
【課題を解決するための手段】
【０００７】
請求項１の発明は、本体に作動部材を伸縮かつ軸方向へ移動可能に収容し、前記作動部材の一端部を負荷部材に連係し、該負荷部材を変位可能に設けるとともに、前記本体の内部に可動体を軸方向へ移動可能に収容し、該可動体の内部に前記作動部材を軸方向へ移動可能に収容し、前記可動体にテ−パ部を備えたストッパを設け、該テ−パ部を本体内部に係合可能に配置し、作動部材の移動時に前記テ−パ部を本体の内部に係合可能に設け、前記負荷部材の変位時、前記ストッパの内周面を作動部材の周面に押圧可能に設け、作動部材の移動を制動または緩衝可能にした緩衝装置において、前記ストッパの移動方向の両側にテ−パ角度を異にする二つのテ−パ部を設け、前記負荷部材の負荷に応じて前記一方のテ−パ部を選択して配置し、選択したテ−パ部を本体内の係合部に係合可能に配置し、負荷部材の負荷に応じてストッパのテ−パ部を選択して使用し、作動部材に対する制動作用または緩衝作用を調整して円滑な操作と安全性を得られるとともに、従来のように高圧ガスの封入や作動油の充填を要することなく、また特別な設備を要することなく容易かつ安価に製作できるとともに、気密ないし油密構造を要することなく構成の簡潔化と小形軽量化を図れ、しかも廃棄処分時に高圧ガスや作動油の排出を要しないから、廃棄処分を安全かつ容易に行なえるようにしている。
【０００８】
請求項２の発明は、可動体に選択したテ−パ部をストッパの移動方向側に配置し、負荷部材の負荷に応じてストッパのテ−パ部の位置を変え、作動部材に対し負荷部材の負荷に応じた制動作用または緩衝作用を調整し、円滑な操作と安全性を得られるようにしている
請求項３の発明は、可動体の外周に複数のストッパを装着し、各ストッパの一のテ−パ部を本体内部に係合可能に配置するとともに、各ストッパの内周面を作動部材の周面に押圧可能に配置し、複数のストッパによって作動部材に対する制動ないし緩衝作用を増強するようにしている。
請求項４の発明は、二つのテ−パ部の何れか一方に識別手段を設け、ストッパの組み立てミスを防止し得るようにしている。
請求項５の発明は、本体の内側に平面矩形の係合部を突出して形成し、該係合部の内側に作動部材を軸方向へ移動可能に配置し、該係合部の三辺にビードを軸方向に突設し、該ビードを作動部材の周面に係合可能に配置し、三箇所のビードによって作動部材を円滑かつ安定して移動させるようにしている。
【０００９】
請求項６の発明は、可動体の直上に作動部材を挿入可能な保護キャップを配置し、該保護キャップの縮径周面を本体の上端部に嵌合するとともに、前記保護キャップの縮径周面に係止爪を突設し、該係止爪を本体の周面に形成した係合孔に内側から係合可能に取付け、本体の上端部に取付けた保護キャップによって本体内の可動体を保護するようにしている。
請求項７の発明は、本体に一対のフォ−ク片を備えた掛止具を着脱可能に設け、前記一対のフォ−ク片を前記本体に抜き差し可能に設け、前記掛止具を本体に装着時、前記フォ−ク片上に前記可動体を係合可能に配置し、前記ストッパの選択したテ−パ部と本体内部の係合部との係合を解除可能にし、掛止具を本体に装着時、可動体の内部に作動部材の挿入スペ−スを確保し、外部から作動部材を容易かつ円滑に挿入し得るようにしている。
請求項８の発明は、掛止具を本体に装着時、ストッパ内周面の作動部材周面に対する押圧を解除可能にし、外部から作動部材を容易かつ円滑に挿入し得るようにしている。
【００１０】
請求項９の発明は、掛止具を本体から取り外し時、前記可動体を本体内の係合部側へ移動して、ストッパの選択したテ−パ部を前記本体内部の係合部に係合可能に設け、ストッパの内周面を作動部材の周面に押圧可能に設け、作動部材を制動ないし緩衝可能にしている。
請求項１０の発明は、本体および可動体の内側に作動部材を挿入後、前記掛止具を本体から取り外し可能にし、作動部材に対する実質的な制動ないし緩衝作用を合理的に実現するようにしている。
請求項１１の発明は、掛止具に把持部を設け、該把持部を本体の外側に突出して配置し、把持部を保持して掛止具の取外しを容易に行なうようにしている。
【００１１】
請求項１２の発明は、作動部材を伸縮かつ軸方向へ移動可能に装着した緩衝装置を支柱に設け、前記作動部材の上端部を天板１の中間部に回動可能に連係し、天板１の側端部に支持枠の上端部を回動可能に連係し、該支持枠の下端部を枠体に回動可能に連結し、前記緩衝装置を区画する本体の内部に可動体を軸方向に移動可能に収容し、該可動体の内部に前記作動部材を移動可能に収容し、前記可動体にテ−パ部を備えたストッパを設け、該テ−パ部を本体の内部に係合可能に配置し、該ストッパの内周面を作動部材の周面に押圧可能に設け、天板を折り畳み可能にした折り畳みテ−ブルにおいて、前記ストッパの移動方向の両側にテ−パ角度を異にする二つのテ−パ部を設け、天板の負荷に応じて前記一方のテ−パ部を選択して配置し、該選択したテ−パ部を本体内の係合部に係合可能に配置し、天板の負荷に応じてストッパのテ−パ部を選択して使用し、作動部材に対する制動作用または緩衝作用を調整して円滑な操作と安全性を得られるとともに、従来のように高圧ガスを封入し、または作動油を充填した高価かつ大形大重量の緩衝装置を要することなく、小形軽量で容易かつ安価に製作できるとともに、小形軽量の緩衝装置を支柱の外側に配置して、支柱の小径化を図り、全体的なデザインの向上を図るようにしている。
【００１２】
請求項１３の発明は、本体に一対のフォ−ク片を備えた掛止具を着脱可能に設け、前記掛止具を本体に装着時、前記フォ−ク片上に前記可動体を係合可能に配置し、作動部材の周面に対しストッパ内周面の押圧を解除可能にし、前記掛止具を本体から取り外し時、前記可動体を本体内の係合部側へ移動し、ストッパの選択したテ−パ部を前記本体内部の係合部に係合可能に設け、ストッパの内周面を作動部材の周面に押圧可能に設け、掛止具を本体に装着時、緩衝装置による緩衝作用ないし制動作用を停止し、可動体に対する作動部材の挿入ないし組み付けを容易に行なえるとともに、掛止具を本体から取り外した際、緩衝装置による緩衝作用ないし制動作用を機能または機能低下させ、天板の折畳み操作と展開操作を安全かつ円滑に行なえるようにしている。
請求項１４の発明は、掛止具を本体から取り外し天板の折り畳み回動変位時、前記作動部材を上方へ伸長変位可能に設け、ストッパの一方のテ−パ部と本体内部の係合部との係合を解除し、作動部材の周面に対しストッパ内周面の押圧を解除可能にし、緩衝装置による緩衝作用ないし制動作用を消失または低下し、作動部材を容易かつ速やかに伸長させて天板を円滑に折り畳めるようにしている。
【００１３】
請求項１５の発明は、掛止具を本体から取り外し天板の展開回動変位時、前記作動部材を下方へ縮小変位可能に設け、ストッパの選択したテ−パ部を本体内部の係合部に係合し、ストッパの内周面を作動部材の周面に押圧可能にし、緩衝装置による緩衝作用ないし制動作用を機能させて作動部材をゆっくりと収縮させ、天板を安全かつゆっくりと展開させるようにしている。
請求項１６の発明は、天板の折り畳み時、前記作動部材を支柱と同軸上の上方に突出し、該作動部材の上動に天板を同動させて前記作動部材と天板とを互いに平行に配置し、従来のようなカム機構やストッパを要することなく、構成を簡潔化して天板をコンパクトかつ安定して折り畳めるようにしている。
【発明の効果】
【００１４】
請求項１の発明は、ストッパの移動方向の両側にテ−パ角度を異にする二つのテ−パ部を設け、前記負荷部材の負荷に応じて前記一方のテ−パ部を選択して配置し、選択したテ−パ部を本体内の係合部に係合可能に配置したから、負荷部材の負荷に応じてストッパのテ−パ部を選択して使用でき、作動部材に対する制動作用または緩衝作用を調整して円滑な操作と安全性を得られるとともに、従来のように高圧ガスの封入や作動油の充填を要することなく、また特別な設備を要することなく容易かつ安価に製作できるとともに、気密ないし油密構造を要することなく構成の簡潔化と小形軽量化を図れ、しかも廃棄処分時に高圧ガスや作動油の排出を要しないから、廃棄処分を安全かつ容易に行なうことができる
【００１５】
請求項２の発明は、可動体に選択したテ−パ部をストッパの移動方向側に配置したから、作動部材に対し負荷部材の負荷に応じた制動作用または緩衝作用を調整でき、円滑な操作と安全性を得られる効果がある。
請求項３の発明は、可動体の外周に複数のストッパを装着し、各ストッパの一のテ−パ部を本体内部に係合可能に配置するとともに、各ストッパの内周面を作動部材の周面に押圧可能に配置したから、複数のストッパによって作動部材に対する制動ないし緩衝作用を増強することができる。
請求項４の発明は、二つのテ−パ部の何れか一方に識別手段を設けたから、ストッパの組み立てミスを防止することができる。
請求項５の発明は、本体の内側に平面矩形の係合部を突出して形成し、該係合部の内側に作動部材を軸方向へ移動可能に配置し、該係合部の三辺にビードを軸方向に突設し、該ビードを作動部材の周面に係合可能に配置したから、三箇所のビードによって作動部材を円滑かつ安定して移動させることができる。
【００１６】
請求項６の発明は、可動体の直上に作動部材を挿入可能な保護キャップを配置し、該保護キャップの縮径周面を本体の上端部に嵌合するとともに、前記保護キャップの縮径周面に係止爪を突設し、該係止爪を本体の周面に形成した係合孔に内側から係合可能に取付けたから、本体の上端部に取付けた保護キャップによって本体内の可動体を保護することができる。
請求項７の発明は、本体に一対のフォ−ク片を備えた掛止具を着脱可能に設け、前記一対のフォ−ク片を前記本体に抜き差し可能に設け、前記掛止具を本体に装着時、前記フォ−ク片上に前記可動体を係合可能に配置し、前記ストッパの選択したテ−パ部と本体内部の係合部との係合を解除可能にしたから、掛止具を本体に装着時、可動体の内部に作動部材の挿入スペ−スを確保し、外部から作動部材を容易かつ円滑に挿入することができる。
請求項８の発明は、掛止具を本体に装着時、ストッパ内周面の作動部材周面に対する押圧を解除可能にしたから、外部から作動部材を容易かつ円滑に挿入することができる。
【００１７】
請求項９の発明は、掛止具を本体から取り外し時、前記可動体を本体内の係合部側へ移動して、ストッパの選択したテ−パ部を前記本体内部の係合部に係合可能に設け、ストッパの内周面を作動部材の周面に押圧可能に設けたから、作動部材を制動ないし緩衝することができる。
請求項１０の発明は、本体および可動体の内側に作動部材を挿入後、前記掛止具を本体から取り外し可能にしたから、作動部材に対する実質的な制動ないし緩衝作用を合理的に実現することができる。
請求項１１の発明は、掛止具に把持部を設け、該把持部を本体の外側に突出して配置したから、把持部を保持して掛止具の取外しを容易に行なうことができる。
【００１８】
請求項１２の発明は、ストッパの移動方向の両側にテ−パ角度を異にする二つのテ−パ部を設け、天板の負荷に応じて前記一方のテ−パ部を選択して本体内の係合部に係合可能に配置し、ストッパの選択したテ−パ部を使用して、作動部材に対する制動作用または緩衝作用を調整して円滑な操作と安全性を得られるとともに、従来のように高圧ガスを封入し、または作動油を充填した高価かつ大形大重量の緩衝装置を要することなく、小形軽量で容易かつ安価に製作できるとともに、小形軽量の緩衝装置を支柱の外側に配置して、支柱の小径化を図り、全体的なデザインの向上を図ることができる。
【００１９】
請求項１３の発明は、本体に一対のフォ−ク片を備えた掛止具を着脱可能に設け、前記掛止具を本体に装着時、前記フォ−ク片上に前記可動体を係合可能に配置し、作動部材周面に対しストッパ内周面の押圧を解除可能にし、前記掛止具を本体から取り外し時、前記可動体を本体内の係合部側へ移動し、ストッパの選択したテ−パ部を前記本体内部の係合部に係合可能に設け、ストッパの内周面を作動部材の周面に押圧可能に設けたから、掛止具を本体に装着時、緩衝装置による緩衝作用ないし制動作用を停止し、可動体に対する作動部材の挿入ないし組み付けを容易に行なえるとともに、掛止具を本体から取り外した際、緩衝装置による緩衝作用ないし制動作用を機能または機能低下させ、天板の折畳み操作と展開操作を安全かつ円滑に行なうことができる。
請求項１４の発明は、掛止具を本体から取り外し天板の折り畳み回動変位時、前記作動部材を上方へ伸長変位可能に設け、ストッパの一方のテ−パ部と本体内部の係合部との係合を解除し、作動部材の周面に対しストッパ内周面の押圧を解除可能にしたから、緩衝装置による緩衝作用ないし制動作用を消失または低下し、作動部材を容易かつ速やかに伸長させて天板を円滑に折り畳むことができる。
【００２０】
請求項１５の発明は、掛止具を本体から取り外し天板の展開回動変位時、前記作動部材を下方へ縮小変位可能に設け、ストッパの選択したテ−パ部を本体内部の係合部に係合し、ストッパの内周面を作動部材の周面に押圧可能にしたから、緩衝装置による緩衝作用ないし制動作用を機能させて作動部材をゆっくりと収縮させ、天板を安全かつゆっくりと展開させることができる。
請求項１６の発明は、天板の折り畳み時、前記作動部材を支柱と同軸上の上方に突出し、該作動部材の上動に天板を同動させて前記作動部材と天板とを互いに平行に配置したから、従来のようなカム機構やストッパを要することなく、構成を簡潔化して天板をコンパクトかつ安定して折り畳むことができる。
【図面の簡単な説明】
【００２１】
【図１】本発明の緩衝装置を備えた折り畳みテ−ブルの使用状態を示す斜視図である
【図２】図１の右側面図である。
【図３】前記折り畳みテ−ブルの支柱と、後側脚と支持枠と枠体（横枠）との連結状態を拡大して示す斜視図である。
【図４】前記折り畳みテ−ブルの支柱と、緩衝装置の組み立て状態を拡大して示す正面図で、緩衝装置に掛止具を装着している。
【図５】図４のＡ−Ａ線に沿う断面図である。
【００２２】
【図６】前記折り畳みテ−ブルの支柱と、緩衝装置の組み立て状態を拡大して示す正面図で、緩衝装置から掛止具を取り外している。
【図７】図６のＢ−Ｂ線に沿う断面図である。
【図８】本発明に適用した緩衝装置を分解して示す斜視図である。
【図９】本発明に適用した緩衝装置の組み立て状態を示す斜視図である。
【図１０】図９のＣ−Ｃ線に沿う拡大断面図である。
【００２３】
【図１１】図９のＤ−Ｄ線に沿う拡大断面図である。
【図１２】図９のＥ−Ｅ線に沿う拡大断面図である。
【図１３】本発明の緩衝装置を備えた折り畳みテ−ブルにおいて、天板の折り畳み途中の状態を示す拡大断面図である。
【図１４】本発明の緩衝装置を備えた折り畳みテ−ブルの天板の折り畳み状態を示す斜視図である。
【図１５】本発明の緩衝装置を備えた折り畳みテ−ブルにおいて、天板の折り畳み状態を示す右側面図である。
【００２４】
【図１６】本発明の緩衝装置を備えた折り畳みテ−ブルにおいて、天板の展開途中の状態を示す拡大断面図である。
【発明を実施するための形態】
【００２５】
以下、本発明の緩衝装置の一例と、この緩衝装置を適用した折り畳みテ−ブルの一例を図示の実施形態について説明すると、図１乃至図１６において１は横長矩形の負荷部材である天板で、その裏面の前部と中間部に一対の支持枠２,３が前後に離間して取付けられ、該支持枠２,３の両端部に台形のブラケット４,５が固定され、該ブラケット４,５の下端部に支持枠６,７の上端部が回動可能に連結されている。
【００２６】
このうち、前側の支持枠６の下端部は後述する突片に回動可能に連結され、後側の支持枠７はアルミニウム製の角管材で構成され、該支持枠７は後述する緩衝装置の作動部材に相当し、その下部側をアルミニウム製の角管材からなる支柱８に上下に移動可能に挿入している。
そして、天板１の展開時、つまり天板１の使用時に、支持枠７の下端部を支柱８の下部の係止部（図示略）に当接可能にして、天板１の使用時における水平状態を維持可能にしている。
この場合、支持枠７は角柱または角管状に限らず、円柱または円管状に構成することも可能である。
【００２７】
前記支柱８はブラケット４，５を介して天板１に斜状に配置され、後述する床面に斜め上向きに配置されていて、その下部は前側脚を兼用し、その下端部が天板１の前端部直下に配置され、その下端部にキャスタ−９が床面１０を走行可能に取付けられている。
【００２８】
前記支柱８の中高位置に、アルミダイカスト製の一対のフレ−ムジョイント１１が図３のように取付けられ、該ジョイント１１は前記支柱８に係合可能な凹溝１１ａを備え、該凹溝１１ａの外側に脚継手（図示略）を一体成形し、また凹溝１１ａの内側に張出し継手（図示略）を一体成形していて、前記脚継手を内外に重合し、これに後側脚１２の一端部をビス止めしている。
【００２９】
また、前記一対の張出し継手をボックス継手１３に挿入し、これらを後述の横枠と一緒にビス止めしている。
すなわち、前記ボックス継手１３は略矩形管状に樹脂成形され、該継手１３に枠体である角管状の横枠１４を挿入し、該横枠１４内に前記一対の張出し継手を挿入し、これらをビスで一緒にビス止めしている。
前記ボックス継手１３の上端部に一対の突片１５が一体成形され、該突片１５，１５の間に前記支持枠６の下端部を回動可能に連結している。
【００３０】
前記後側脚１２の他端部は天板１の後端部直下に配置され、その端部にキャスタ−１６が床面１０を走行可能に取付けられている。
図中、１７は天板１の裏面後端部に設けた把手、１８は天板１の裏面の両側に取付けた棚枠、１９は棚枠１８,１８間に掛け渡した架設枠である。
【００３１】
前記支柱８の上端部に緩衝装置２０が設けられ、該装置２０は支柱８の上端部に取付けた本体２１と、該本体２０の内部に上下動可能に設けた可動体２２と、該可動体２２に同動可能に設けたストッパ２３と、前記本体２０の上端部に取付けた保護キャップ２４と、支持枠７の組み立て前に本体２１に差し込まれ、可動体２２の内側に支持枠７を挿入可能にした、補助具である掛止具２５と、を備えている。
【００３２】
前記本体２１は、例えばポリアセタ−ル（ＰＯＭ）によって、大小異径の方形管状に樹脂成形され、その小径部２１ａの外周に支柱８の上端部を装着し、その内側の通孔４６に前記支持枠７を十分な裕度で挿入している。
前記小径部２１ａの一辺に略Ｕ字形の切溝２６ａによって舌片２６を切欠き形成し、該舌片２６に板厚方向の復元力を与え、後述する係合突起と通孔とを係合可能にしている。
前記舌片２６の下端部に係合突起２７が突設され、該係合突起２７を支柱８の上部に設けた通孔２８に係合可能に設けて、支柱８と本体２１とを抜け止めしている。
【００３３】
一方、前記大径部２１ｂの一辺、実施形態では組み立て時に上側に位置する一辺の下部側に、鉤形をした一対の係合溝２９を形成し、該辺と隣接する一対の辺の上部に、後述する係止爪と係合可能な横長の係合孔３０を対向して形成している。
【００３４】
前記可動体２２は本体２１よりも小径で短小な方形管状に樹脂成形され、その内部に支持枠７を裕度を持って挿入可能にされ、またその肉厚は三辺を厚肉に成形していて、これを前記大径部２１ｂの内側に上下動可能に収容している。図中、２２ａは可動体２２の一対の下端面に形成した山形の切欠部である。
【００３５】
前記大径部２１ｂの一辺と対向する可動体２２の肉厚の一辺に、内側に開口する嵌合溝３１が軸方向に形成され、該一辺の外周部の両側に縦長のバネ収容孔３２が形成され、該収容孔３２の底部に係止ピン３３を突設している。
そして、前記バネ収容孔３２と、保護キャップ２４に形成した後述するバネ収容孔との間にバネ３４を収容し、このバネ３４の弾性によって可動体２２を下方へ付勢している。
【００３６】
前記ストッパ２３は摩擦係数が低く、かつ耐磨耗性に優れる、本体２１とは異質の合成樹脂、例えばナイロン（登録商標）によって略山形に樹脂成形され、後述のテ−パ部と、内側に張り出した係合部４７との係合時の摩擦熱による焼付けを防止可能にしていて、その山形部を外側に向けて前記嵌合溝３１に嵌合し、その山形部の頂部に係止溝３５を形成している。
前記係止溝３５の中央に透孔３６が形成され、該透孔３６に嵌合溝３１の底部に突設した係合ピン３７を挿入して、ストッパ２３を抜け止めしている。
【００３７】
前記ストッパ２３の内側面は平滑な平坦面２３ａに形成され、該平坦面２３ａを支持枠７の外周面に接触可能に配置している。
前記ストッパ２３の山形部の上下端部に、上方または下方へ傾斜するテ−パ部３８，３９が形成され、これらのテ−パ角度は相違していて、緩衝装置２０の負荷に相当する天板１の重量によって、テ−パ部３８，３９を選択し、かつ各種折り畳みテ−ブルとの共用化を図っている。
実施形態では何れか一方のテ−パ部、例えばテ−パ部３８に透孔３８ａ等の識別手段を設けて、組み立てミスを防止している。
【００３８】
実施形態の場合、テ−パ部３８のテ−パ角度はテ−パ部３９のそれよりも大きく形成され、重量の大きな天板１に対しては、テ−パ角度の小さなテ−パ部３９を下側に配置して係合部４７に係合させ、大きな係合力ないし接触面圧力を平坦面２３ａを介して支持枠７の周面に作用し、大きな緩衝力ないし制動力を形成可能にしている。
この場合、重量の小さな天板１に対しては、左右何れか一方の支持枠７のストッパ２３による緩衝力を作用させ、他方の支持枠７の緩衝装置２０からストッパ２３を省略することも可能である。
【００３９】
前記可動体２２は、本体２１に掛止具２５を装着時は、後述のように掛止具２５のフォ−ク片４４に係合して押し上げられ、ストッパ２３の平坦面２３ａを外側へ移動し、本体２１内に支持枠７を挿入可能なスペ−スを形成可能にしている。
そして、本体２１から掛止具２５を取り外し、本体２１内に支持枠７を挿入後は、前記テ−パ部３９が支持枠７の外周面と平面矩形の係合部４７との間に係入し、その楔効果によって、ストッパ２３の平坦面２３ａを支持枠７の外周面に押圧し、支持枠７の移動を制動可能にしている。
【００４０】
前記保護キャップ２４は、本体２１に挿入可能な短小の方形管状に樹脂成形され、その相対する外周面に係合孔３０に係合可能な係止爪４０を形成し、他の一辺に一対のバネ収容孔４１と係止ピンを形成し、該バネ収容孔４１に前記バネ３４の上端部を収容可能にしている。
図中、４２は保護キャップ２４の上端部に形成した角管状のフランジ部で、バネ収容孔４１を形成した一辺の内面中央に凹溝４３を形成している。
【００４１】
前記掛止具２５は一対のフォ−ク片４４を樹脂成形し、その上面に切欠部２２ａと係合可能な山形の凸部４４ａを形成し、その断面は係合溝２９に係合可能な鉤形をしている。
前記フォ−ク片４４の長さは、本体２１内面の対面距離より若干長尺に形成され、前記凸部４４ａ上に可動体２２の下端面を載置し、かつ切欠部２２ａに係合可能にしている。  図中、４５は掛止具２５の外側に突設した把持部である。
【００４２】
前記掛止具２５は、支持枠７の挿入前にフォ−ク片４４を係合溝２９に差し込んで本体２１に装着され、かつフォ−ク片４４上に可動体２２を載置してストッパ２３を同動させ、ストッパ２３の平坦面２３ａを外側へ変位させている。
【００４３】
この他、図中４８は前記係合部４７の一側に軸方向に沿って突設したビ−ドで、前記テ−パ部３９の両側面に係合可能に配置され、テ−パ部３９の移動を規制可能にしている。
４９は前記係合部４７の三辺に軸方向に突設したビ−ドで、前記支持枠７の外周面に係合可能に配置され、該支持枠７をセンタリング可能にしている。
【００４４】
なお、この実施形態の折り畳みテ−ブルは、支持枠６，７と支柱８をそれぞれ斜状に配置しているが、支持枠７と支柱８を垂直に配置し、緩衝装置２０を垂直に配置することも可能であり、そのような使用によって、緩衝装置２０を折り畳みテ−ブル以外に、例えば椅子の着座部の上下位置調整用の緩衝装置に使用することも可能である。
【００４５】
このように構成した本発明の緩衝装置の主要部は、本体２１,２２と、ストッパ２３と、保護キャップ２４および掛止具２５とで構成され、これらを樹脂成形しているから、軽量で量産化に応じられ、これを安価かつ容易で均一に製作できる。
【００４６】
次に、これらを組み立てる場合は図８のように、先ず本体２１の係合溝２９に掛止具２５のフォ−ク片４４を挿入し、該フォ−ク片４４の下端部を本体２１内の段部に収容する
この後、バネ収容孔３２を係合溝２９の一辺側に向けて、可動体２２を本体２１内に挿入し、該可動体２２の下端部の切欠部２２ａをフォ−ク片４４の凸部４４ａに係合して収容する。
【００４７】
その際、可動体２２の嵌合溝３１にストッパ２３の山形部を予め嵌合し、その係止溝３５に形成した透孔３６に、嵌合溝３１の底部に突設した係合ピン３７を挿入し、ストッパ２３を嵌合溝３１に掛け止める。
前記ストッパ２３の組み付けに際しては、緩衝装置２０の負荷に相当する天板１の重量に応じて、ストッパ２３のテ−パ部３８,３９を選択して組み付ける。
【００４８】
すなわち、テ−パ部３８,３９のテ−パ角度は相違して形成され、天板１の重量が大きい場合は、大きな緩衝力または制動力を要するため、テ−パ角度が小さい方のテ−パ部３９を下側に配置し、天板１の重量が小さい場合は、小さな緩衝力または制動力で足りる、テ−パ角度が大きい方のテ−パ部３８を下側に配置する。
実施形態では、天板１の重量が大きいため、大きな緩衝力または制動力を要し、テ−パ角度が小さい方のテ−パ部３９を下側に配置している。
【００４９】
そして、前記可動体２２のバネ収容孔３２にバネ３４を挿入後、保護キャップ２４を本体２１の上端部に挿入し、バネ収容孔４１にバネ３４の上端部を収容し、係止爪４０を本体２１の係合孔３０に内側から係合し、本体２１に連結することによって、緩衝装置２０の一連の組み立てが終了する。
このように緩衝装置２０の組み立ては、各構成部材を挿入および係合する簡単な作業で足り、従来の緩衝装置のような高圧ガスまたは作動油の封入を要しないから、構成が簡単で特別な設備を要することなく、簡易かつ速やかに行なえる。
【００５０】
こうして組み立てた緩衝装置２０は図９のようで、全長７０ｍｍ、一辺が約３０ｍｍの略角柱状に形成され、従来のガススプリング等の緩衝装置に比べ非常に小形かつ軽量であるから、その持ち運びや保管等の取り扱いが至便になる。
しかも、前記緩衝装置２０は、組み立て終了時に作動部材である支持枠７の装着を省略し得るから、それだけ小形軽量化が増進され、取り扱いが一層至便になる。
【００５１】
前記緩衝装置２０の装着前、つまり折り畳みテ−ブルの組み立て前は、前述のように作動部材である支持枠７と分離して取り扱われ、本体２１ないし可動体２２に支持枠７は挿入されていない。
そして、緩衝装置２０の組み立て後、本体２に掛止具２５のフォ−ク片４４を差し込み、このフォ−ク片４４上に可動体２２が係合して押し上げられ、可動体２２に装着したストッパ２３の下側のテ−パ部３９が係合部４７の一辺に接触し、テ−パ部３９の尖端部が通孔４６内に係入している。
【００５２】
このような緩衝装置２０を使用する場合は、本体２１ないし可動体２２に支持枠７を挿入し、その一端部を支柱８内に当接可能な自由端部として本体２１の下側に配置し、他端部を本体２１の外側に突出し、その突出部を天板１等の作用部材に連係する。
【００５３】
前記支持枠７を本体２１ないし可動体２２に挿入する場合は、本体２１に掛止具２５を装着した状態、つまり可動体２２の内側に支持枠７の挿入スペ−スを確保した状態で、支持枠７を保護キャップ２４の上方または本体２１の小径部２１ａの下方から差し込む。
そして、支持枠７を可動体２２に貫挿させて保護キャップ２４から突出し、該突出部の適宜位置を天板１等の作用部材に直接または間接的に連結し、下端部を本体２１の外側に配置する。
このように本体２１に掛止具２５を装着して、可動体２２の内側に支持枠７の挿入スペ−スを確保しているから、支持枠７を容易かつ速やかに挿入し得る。
【００５４】
こうして支持枠７の一部を天板１等に直接または間接的に連結後、把持部４５を保持して外側へ引張り、フォ−ク片４４を係合溝２９から引き抜いて、掛止具２５を本体２１から取り外す。
このようにすると、フォ−ク片４４が係合溝２９から引き抜かれ、フォ−ク片４４の高さ分、可動体２２がバネ３４に押し下げられて支持枠７に沿って移動し、これにストッパ２３が同動して下側のテ−パ部３９が下方へ移動する。
このため、ストッパ２３の平坦面２３ａがテ−パ部３９の下方変位相当分、本体２１の内側へ移動し、対向する支持枠７の外周面を押圧する。
【００５５】
すなわち、この状況は支持枠７の外周面と、係合部４７の内面の一辺との間に、テ−パ部３９が楔として差し込まれた状態に相当し、その接触面圧力をストッパ２３の平坦面２３ａを介して、対向する支持枠７の外周面に作用し、緩衝ないし制動作用を奏する。
この場合、実施形態の可動体２２は一辺にストッパ２３を設け、その平坦面２３ａを支持枠７の外周面の一辺に密着させているが、可動体２２の対向辺または各辺にストッパ２３を設け、その各平坦面２３ａを支持枠７の外周面に密着させ、緩衝ないし制動作用を増強することも可能である。
【００５６】
ただ、実施形態のように緩衝装置２０を斜状に設置し、本体２１，２２および支持枠７を斜状に配置する場合は、支持枠７よりも上位側に位置するストッパ２３が重力によって支持枠７側へ移動し、その平坦面２３ａを支持枠７の上位側の外周面に密着させられるから、緩衝装置２０を垂直に設置する場合に比べてストッパ２３による緩衝ないし制動作用が増強され、可動体２２の上位側の一辺にストッパ２３を設けた実施形態の場合でも、所期の緩衝ないし制動作用を得られる。
【００５７】
こうして、本体２１から掛止具２５を取り外し後、支持枠７を上下動することによってストッパ２３による具体的な緩衝ないし制動作用が得られる。
例えば天板１の折り畳み時に、天板１を保持して上向きに折り畳み回動し、これに支持枠７を同動させて上動すると、ストッパ２３が支持枠７による摩擦によって僅かに引き上げられ、その変位相当分、平坦面２３ａが外側へ移動して支持枠７の外周面から離間する
この結果、ストッパ２３による緩衝ないし制動作用が消失し若しくは低下して、天板１を容易かつ速やかに折り畳める。
【００５８】
一方、天板１の折り畳み後、これを展開して使用する場合は、把手１７を保持して天板１を下向きに回動し、これに支持枠７を同動させて下動すると、ストッパ２３が支持枠７による摩擦によって引き下げられ、そのテ−パ部３９の下方変位相当分、平坦面２３ａが内側へ移動して支持枠７の外周面を押圧する。
すなわち、この状況は支持枠７の外周面と係合部４７の内面の一辺との間に、テ−パ部３９が楔として差し込まれた状態に相当し、その接触面圧力をストッパ２３の平坦面２３ａを介して、対向する支持枠７の外周面に作用し、緩衝ないし制動作用を奏する。
【００５９】
したがって、支持枠７の下動が制動されて減速され、天板１がゆっくりと下向きに回動し、支持枠７の下端部が支柱８内の係止部（図示略）に当接したところで静止し、天板１の水平状態を維持する。
この場合、支持枠７の一部周面が凸部４９に係合してセンタリングされ、またストッパ２３の左右方向の移動が凸部４８，４８に規制されて、それらが円滑に移動する。
【００６０】
このように本発明の緩衝装置２０は、小形軽量で安価に製作でき、その使用時は作動部材である支持枠７の上動時は、緩衝ないし制動作用を解除ないし低下して、支持枠７を容易かつ速やかに上動させ、天板１を容易に折り畳める一方、支持枠７の下動時は、緩衝ないし制動作用を復活ないし増強させて、支持枠７を安全かつゆっくりと下動して天板１をゆっくり展開し得る。
【００６１】
なお、本発明の緩衝装置２０は、経年使用による機能劣化によって廃棄処分する際、折り畳みテ−ブルを分解して取り出し、これをそのまま廃棄するか各構成部分を分解ないし解体して廃棄する。何れの場合も緩衝装置２０が小形軽量であるから取り扱い易く、従来の緩衝装置のように封入した高圧ガスや作動油を排出する面倒がなく、またこれを失念した場合の爆発事故や怪我の問題がないから、安全に廃棄し得る。
【００６２】
一方、前記緩衝装置２０を備えた本発明の折り畳みテ−ブルを組み立て前に出荷する際は、複数のアセンブリに分けて一緒に出荷する。
例えば緩衝装置２０を前述のように組み立て、その本体２１に掛止具２５を装着し、かつ緩衝装置２０に支持枠７を装着しない状態で、保護キャップ２４の上端を開口して置く
【００６３】
そして、前記緩衝装置２０の小径部２１ａに支柱８の上端部を嵌合し、その通孔２８に舌片２６の係合突起２７を係合し、両者を連結する。
その際、係合突起２７が支柱８の内面に係合時、舌片２６が小径部２１ａの内側に変位して前記係合を許容し、係合突起２７が通孔２８に係合後、舌片２６が弾性によって外側に復元し、係合突起２７が通孔２８に係合して、本体２１と支柱８とを連結する。
【００６４】
次に、前記支柱８の下端部にキャスタ−９を取付け、該支柱８の中間位置に一対のフレ−ムジョイント１１を取付け、該ジョイント１１の一端部にボックス継手１３を挿入してビス止めし、突片１５,１５の間に支持枠６の下端部を回動可能に連結する。
そして、前記一対の支柱アセンブリのボックス継手１３，１３に横枠１４の両端部を挿入し、これらをビス止めして一体に連結する。
また、天板１の裏面に左右一対の支持枠２,３と把手１７を取付け、この一方の支持枠３の両端にブラケット４を取付け、該ブラケット４に前記支持枠６の上端部を回動可能に連結して、支柱アセンブリに天板アセンブリを組み付ける。
【００６５】
一方、他方のブラケット５は天板１に取付けないで分離し、このブラケット５に支持枠７の上端部を回動可能に連結し、また後側脚１２は支柱８に取付けないで分離し、その後端部にキャスタ−１０を取付け、これら支持枠７と後側脚１２のアセンブリを前記天板アセンブリと一緒に梱包する。
その際、支持枠６,６を突片１５,１５を中心に回動し、また天板１をブラケット４を中心に回動し、天板１と支持枠６,６と支柱８,８とを平行に配置し、天板アセンブリをコンパクトに折り畳んで梱包のコンパクト化を図る。この状況は図１４の折り畳みテ−ブルの折り畳み状況と同様である。
【００６６】
前記梱包部品を組み立てる場合は、支持枠７の下端部を保護キャップ２４の上面開口部に差し込み、これを支柱８の下方に挿入し、また支持枠７の上端部をブラケット５に回動可能に連結し、該ブラケット５を天板１の裏面の所定位置に取付け、後側脚１２の一端部を前記フレ−ムジョイント１１の外側にビス止めすれば良い。
この場合、緩衝装置２０に掛止具４５が装着され、可動体２２の内部に支持枠７の挿入スペ−スが確保されているから、支持枠７の挿入を容易かつ速やかに行なえる。
【００６７】
こうして組み立てた折り畳みテ−ブルは図１，２のようで、支柱８の外側に緩衝装置２０を配置しているから、緩衝装置２０の小形軽量化と相俟って、緩衝装置２０を支柱８の内側に配置する場合に比べて支柱８の小径化を図れ、折り畳みテ−ブルのデザインの向上と軽量化を図れる。
この場合、支柱８の外側に緩衝装置２０を配置していても、緩衝装置２０は小形であるから、違和感が無く折り畳みテ−ブルの外観を損なうことはない。
しかも、前記折り畳みテ−ブルには、天板１の展開位置と折り畳み位置を規制するカム機構を有しないから、その分部品点数が低減し構成が簡潔になる。
【００６８】
一方、組み立て直後の折り畳みテ−ブルには、図４,５のように緩衝装置２０に掛止具２５が装着され、ストッパ２３と支持枠７とが離間して緩衝装置２０が機能し得ないから、実際の使用に際しては掛止具２５を取り外す必要がある。
前記掛止具２５を取り外す場合は、把持部４５を保持して外側へ引張り、フォ−ク片４４を係合溝２９から引き抜けば良い。
【００６９】
このようにすると、本体２１からフォ−ク片４４が引き抜かれ、可動体２２がフォ−ク片４４の高さ分、バネ３４に押し下げられて支持枠７に沿って移動し、これにストッパ２３が同動して下側のテ−パ部３９が下方へ移動する。
この状況は図６,７のようで、ストッパ２３の平坦面２３ａがテ−パ部３９の下方変位相当分、本体２１の内側へ移動し、対向する支持枠７の外周面を押圧する。
【００７０】
すなわち、この状況は支持枠７の外周面と、係合部４７の内面の一辺との間に、テ−パ部３９が楔として差し込まれた状態に相当し、その接触面圧力をストッパ２３の平坦面２３ａを介して、対向する支持枠７の外周面に作用し、緩衝ないし制動作用を奏する。
【００７１】
この場合、実施形態の可動体２２は一辺にストッパ２３を設け、その平坦面２３ａを支持枠７の外周面の一辺に押圧させているが、可動体２２の対向辺または四辺にストッパ２３を設け、その各平坦面２３ａを支持枠７の外周面に密着させ、緩衝ないし制動作用を増強することも可能である。
【００７２】
ただ、実施形態のように緩衝装置２０を斜状に設置し、内本体２１，２２および支持枠７を斜状に配置する場合は、支持枠７よりも上位側に位置するストッパ２３が重力によって支持枠７側へ移動し、その平坦面２３ａを支持枠７の上位側の外周面に密着させるから、緩衝装置２０を垂直に設置する場合に比べてストッパ２３による緩衝ないし制動作用が増強され、可動体２２の上位側の一辺にストッパ２３を設けたものでも所期の緩衝ないし制動作用を得られる。
【００７３】
こうして、本体２１から掛止具２５を取り外し後、支持枠７を上下動することによってストッパ２３による実際の緩衝ないし制動作用が得られる。
例えば天板１の折り畳み時、把手１７を保持して天板１を支持枠６の上端部の枢着部を中心に上向きに回動すると、支持枠７が緩衝装置２０から上方へ引き出され、ストッパ２３が支持枠７による摩擦によって僅かに引き上げられ、その変位相当分、平坦面２３ａが外側へ移動して支持枠７の外周面から離間する。
【００７４】
この状況は図１３のようで、テ−パ３９が支持枠７と係合部４７との間から僅かに引き抜かれ、その楔効果が低下ないし消失し、テ−パ３９による緩衝ないし制動作用が低下ないし消失して、天板１を容易かつ速やかに折り畳める。
【００７５】
こうして天板１が上向きに回動し、支持枠７が上方へ突出すると、天板１の後端部が上昇し、その前端部が支柱８側へ引き寄せられて、支持枠６が突片１５の枢支部を中心に支柱８側へ回動し、天板１が支柱８と平行位置に移動し、支持枠６が支柱８と平行位置に移動したところで、天板１が回動を停止し、天板１と支柱８ないし支持枠７と支持枠６とが平行に位置して、天板１が折り畳まれる。
【００７６】
この状況は図１４および図１５のようで、支持枠６の上端部の枢着部が、天板１と支柱８ないし支持枠７と支持枠６と突片１５とで形成する四節回転リンク機構の思案点に位置して、前記枢着部に一定方向の力を作用させない限り、天板１の折り畳み状態を維持する
【００７７】
一方、天板１の折り畳み後、これを展開して使用する場合は、把手１７を保持して支持枠７の上端部の枢着部を支点に天板１を引き下げると、天板１の前端部が前記枢着部を支点に上向きに回動し、支持枠６の上端部が斜め上向きに牽引されて、支持枠６が突片１５の枢支部を中心に前方へ回動する。
そして、天板１が更に引き下げられ、支持枠６が更に前方へ回動すると、天板１の重量と引き下げ力がブラケット５を介し支持枠７に効率良く作用し、支持枠７が押し下げられて緩衝装置２０の内部を移動する。
【００７８】
このようにすると、ストッパ２３が支持枠７による摩擦によって引き下げられ、テ−パ部３９が支持枠７と係合部４７との間に押し込まれ、該テ−パ部３９の下方変位相当分、平坦面２３ａが内側へ移動して支持枠７の外周面を押圧する。
すなわち、この状況は支持枠７の外周面と、係合部４７の内面との間にテ−パ部３９が楔として差し込まれた状態に相当し、その接触面圧力をストッパ２３の平坦面２３ａを介して、対向する支持枠７の外周面に作用し、支持枠７の下動を緩衝ないし制動する。  
その際、支持枠７の一部周面が凸部４９に係合してセンタリングされ、またストッパ２３の左右方向の移動が凸部４８，４８に規制されて、それらが円滑に移動する。
【００７９】
したがって、支持枠７が制動されてゆっくりと下動し、また天板１がゆっくりと上向きに回動し、支持枠７の下端部が支柱８内の係止部（図示略）に当接したところで静止し、かつ支持枠６が回動を停止して、天板１を支持するとともに、その水平状態を維持する。この状況は図１および図２のようである。
【００８０】
このように本発明の折り畳みテ−ブルは、小形軽量で安価な緩衝装置２０によって、天板１の折り畳み時には緩衝装置２０の機能を消失若しくは低下させて、天板１を容易かつ速やかに折り畳み、また天板１の使用時は緩衝装置２０を機能させて、天板１を安全かつゆっくりと展開させるようにしたものである。
【産業上の利用可能性】
【００８１】
本発明の緩衝装置は、構成が簡単で容易かつ安価に製作できるとともに、その小形軽量化と廃棄処分の容易化を図れ、また本発明の折り畳みテ−ブルは、前記緩衝装置を天板の折り畳み操作と展開操作に利用し、その円滑な操作と安全性を図り、構成が簡単で容易かつ安価に製作でき、その小形軽量化とデザインの向上を図れる。
【符号の説明】
【００８２】
１                  負荷部材（天板）
６                  支持枠
７                  作動部材（支持枠）
１４                枠体（横枠）
２０                緩衝装置
２１                本体
２２                可動体
【００８３】
２３                ストッパ
２５                掛止具
３８，３９          テ−パ部
４４                フォ−ク片
４７                係合部
【図１】
0005518462.tif 000002
【図２】
0005518462.tif 000003
【図３】
0005518462.tif 000004
【図４】
0005518462.tif 000005
【図５】
0005518462.tif 000006
【図６】
0005518462.tif 000007
【図７】
0005518462.tif 000008
【図８】
0005518462.tif 000009
【図９】
0005518462.tif 000010
【図１０】
0005518462.tif 000011
【図１１】
0005518462.tif 000012
【図１２】
0005518462.tif 000013
【図１３】
0005518462.tif 000014
【図１４】
0005518462.tif 000015
【図１５】
0005518462.tif 000016
【図１６】
0005518462.tif 000017